(57)【特許請求の範囲】
【請求項１】
既設管内の流路を開閉する弁体と、前記既設管の外方から既設回動軸回りに回動操作可能な既設回動部を端部に有する弁軸と、が少なくとも設けられ、前記弁軸を回動することで前記弁体を少なくとも開栓する流体弁に接続される流体弁の開栓装置であって、
前記既設回動部に組付け可能な取付け部と、該取付け部と一体に形成される本体部と、回動操作部と、から少なくとも構成されており、
前記取付け部は、前記既設回動部に取付けたキャップに対し組付け可能とし、前記キャップは、前記弁体を開栓する前記弁軸の回動方向が前記既設回動軸平面視右回動であることを示す右開栓形状又は左回動であることを示す左開栓形状に予め形成されており、
前記キャップの右開栓形状又は左開栓形状を利用して、前記弁軸の回動方向が前記既設回動軸平面視右回動又は左回動であることを判定する判定手段が、更に構成されていることを特徴とする流体弁の開栓装置。
【請求項２】
前記回動操作部寄りに、前記判定手段により判定された回動方向情報が表示される表示部が設けられていることを特徴とする請求項１に記載の流体弁の開栓装置。
【発明の詳細な説明】
【技術分野】
【０００１】
本発明は、既設管内の流路を開閉する弁体と、既設管の外方から既設回動軸回りに回動操作可能な既設回動部を端部に有する弁軸と、が少なくとも設けられ、弁軸を回動することで弁体を少なくとも開栓する流体弁に接続される流体弁の開栓装置に関する。
【背景技術】
【０００２】
従来の流体弁は、既設管の外方から既設回動軸回りに弁軸の既設回動部を回動操作することにより弁体を開栓できるように形成されており、流体弁の開栓装置は、既設回動部に組付け可能な取付け部と、該取付け部と一体に形成される本体部と、回動操作部と、から構成されている（例えば、特許文献１参照）。
【０００３】
【特許文献１】特開平１１−８２８０３号公報（第２頁、第１図）
【発明の開示】
【発明が解決しようとする課題】
【０００４】
しかしながら、特許文献１に記載の流体弁は、既設管路の適所に点在して埋設されており、特に管路の破損等の緊急の際に、流体弁を開栓する回動操作を要する場合が多い。ここで既存の流体弁には、既設回動軸平面視右回動で弁体を開栓する右開栓流体弁と、左回動で開栓する左開栓流体弁の２種類が周知のように存在しており、いずれの流体弁が埋設されているかは、各自治体（市町村等）ごとの管理区域により異なっている場合が多い。したがって特に上述した緊急の際において、流体弁を開栓する回動方向を確認後に、開栓装置により回動操作をすることが手間であり、また回動方向を誤まって回動操作してしまい、弁体が損傷する恐れがあった。
【０００５】
特に、昨今の市町村合併に伴い、該合併前の各市町村ごとの管理区域に夫々管理されていた右開栓流体弁及び左開栓流体弁が、該合併後において同一の管理区域内に混在する場合が多く見られ、このような状況下にあって、流体弁の回動方向の確認手間を更に要し、管理上不具合が発生する原因となっていた。
【０００６】
本発明は、このような問題点に着目してなされたもので、右開栓流体弁と左開栓流体弁の２種類が存在する既存の流体弁の回動操作方向を判定でき、流体弁の回動操作を正確且つスムーズにできる流体弁の開栓装置を提供することを目的とする。
【課題を解決するための手段】
【０００７】
上記課題を解決するために、本発明の請求項１に記載の流体弁の開栓装置は、既設管内の流路を開閉する弁体と、前記既設管の外方から既設回動軸回りに回動操作可能な既設回動部を端部に有する弁軸と、が少なくとも設けられ、前記弁軸を回動することで前記弁体を少なくとも開栓する流体弁に接続される流体弁の開栓装置であって、
前記既設回動部に組付け可能な取付け部と、該取付け部と一体に形成される本体部と、回動操作部と、から少なくとも構成されており、
前記取付け部は、前記既設回動部に取付けたキャップに対し組付け可能とし、前記キャップは、前記弁体を開栓する前記弁軸の回動方向が前記既設回動軸平面視右回動であることを示す右開栓形状又は左回動であることを示す左開栓形状に予め形成されており、
前記キャップの右開栓形状又は左開栓形状を利用して、前記弁軸の回動方向が前記既設回動軸平面視右回動又は左回動であることを判定する判定手段が、更に構成されていることを特徴としている。
この特徴によれば、判定手段により弁体を開栓する弁軸の回動方向を判定できるため、その判定に基づいて回動操作部を回動操作し、流体弁の回動操作を正確且つスムーズにでき、また、予め右開栓形状又左開栓形状に形成されている既存のキャップを利用して、弁軸の回動方向を判定できるため、弁軸の回動方向情報を流体弁に特段に設ける手間を省ける。
【００１０】
本発明の請求項２に記載の流体弁の開栓装置は、請求項１に記載の流体弁の開栓装置であって、前記回動操作部寄りに、前記判定手段により判定された回動方向情報が表示される表示部が設けられていることを特徴としている。
この特徴によれば、流体弁が地中に埋設されており、操作者が地上から回動操作部を回動操作する場合でも、回動操作部寄りに設けられている表示部を地上において視認でき、回動方向情報を確認し易い。
【発明を実施するための最良の形態】
【００１１】
本発明の実施例を以下に説明する。
【実施例１】
【００１２】
本発明の実施例１を図面に基づいて説明すると、先ず図１は、流体弁を有する既設管路を示す概略図である。図２は、従来の開栓器による流体弁の開栓操作を示した概略図である。図３（ａ）は、左開栓形状のキャップを示した側面図及び平面図であり、（ｂ）は、右開栓形状のキャップを示した側面図及び平面図である。図４は、開栓装置の全体を示した一部断面図である。図５は、実施例１における左開栓流体弁の開操作を示した一部断面図である。図６は、図５と同じく右開栓流体弁の開操作を示した一部断面図である。
【００１３】
図１に示されるように、内部流体が上水である既設水道管１の管路部材として、流体弁５が適所に配設されている。本実施例の流体弁５は、図２に示されるように、既設水道管１内の流路を開閉する弁体７と、既設水道管１の外方から仮想の既設回動軸Ｃ回りに回動操作可能な既設回動部６ａを上方に突出する端部に有する弁軸６と、が設けられている仕切弁であって、既設回動部６ａを既設回動軸Ｃ回りの所定方向に回動操作することで弁体７が上昇して開栓するようになっている。
【００１４】
本実施例の流体弁５は、地下１ｍ程度の深度において地中に埋設されており、流体弁５の上部には内部が空洞の弁筐２が埋設され、弁筐２の上部には、上面が地面レベルと略面一であって地上から開閉可能に形成される蓋部３が設けられている。更に、既設回動部６ａに後述するキャップ９（若しくはキャップ１９）が取付けられている（図３参照）。
【００１５】
図２に示されるように、流体弁５の弁体の従来における開栓操作について説明すると、先ず、地上から蓋部３を開放すると、平面視既設回動部６ａに取付けられたキャップ９（若しくはキャップ１９）が外部から視認できるようになっている。次に、既設回動部６ａの回動手段であって、回動ハンドル８ａと、本体部８ｂと、嵌合部８ｃと、から構成される周知の開栓器８を地上から挿入して、キャップ９（若しくはキャップ１９）に嵌合部８ｃを嵌合し、一体に組付ける。
【００１６】
ここで従来の流体弁は、弁体を開栓する弁軸の回動方向が既設回動軸Ｃを上方(平面)から見て右回動である右開栓流体弁と、左回動である左開栓流体弁の２種類が周知のように存在している。
【００１７】
そして、キャップの形状について説明すると、図３（ａ）に示されるように、左開栓流体弁の場合、上述した開栓器８の嵌合部８ｃと嵌合する頭部９ａと、上部に鍔部９ｃを有した胴部９ｂと、からなる左開栓形状に予め形成されているキャップ９を既設回動部に組付けることが、日本水道協会規格により規定されている（ＪＷＷＡ  Ｚ１０３）。
【００１８】
また、図３（ｂ）に示されるように、右開栓流体弁の場合、上述と同様の頭部１９ａと、上記鍔部を有しない胴部１９ｂと、からなる右開栓形状に予め形成されているキャップ１９を既設回動部に組付けるように規定されている。
【００１９】
この左開栓形状のキャップ９若しくは右開栓形状のキャップ１９を外方から視認することにより、地中に埋設された流体弁が、左開栓流体弁であるか又は右開栓流体弁であるかを判定することができる。
【００２０】
次に、地上において開栓器８の操作者が、回動ハンドル８ａを本体部８ｂの軸回り（既設回動軸Ｃと略一致）に回動操作することにより、嵌合部８ｃと一体に既設回動部６ａが回動され、弁体７の開栓操作が可能となる。
【００２１】
次に、本実施例における流体弁５の弁体７を開栓操作する開栓装置１０について説明する。
【００２２】
図４に示されるように、開栓装置１０は、既設回動部６ａに設けられたキャップ９（若しくはキャップ１９）に組付け可能な取付け部１１と、取付け部１１と一体に仮想の既設回動軸Ｃと略同軸の回動操作軸Ｄ方向に形成される本体部である動作シャフト１５と、回動操作部である操作ハンドル１３と、から構成されている。
【００２３】
また、本発明の判定手段の構成について説明すると、内径が、取付け部１１の外径及びキャップ１９の胴部１９ｂの外径よりわずかに大径であって、外径が、キャップ９の鍔部９ｃよりも小径に形成される筒体１６が、動作シャフト１５に嵌挿されており、筒体１６の上端は、筒体１６と略同径であって動作シャフト１５に嵌挿されるとともに上部が操作ハンドル１３下面に固着されるスプリング１８と接続されている。筒体１６の下端は、非開栓操作時において、取付け部１１の下端よりもキャップ９の胴部９ｂ（若しくはキャップ１９の胴部１９ｂ）の長さ程度下方位置に配置されている。
【００２４】
また、動作シャフト１５の操作ハンドル１３寄りの上部には、上述した判定手段により判定された回動方向情報が表示される表示部であるマーキングＭが設けられており、前記非開栓操作時において、マーキングＭを視認できるようになっている。
【００２５】
次に、判定手段による流体弁の回動方向の判定と、該判定に基づいた開栓装置１０による開操作について説明する。ここで本説明における流体弁は、左開栓流体弁であり、操作者の行う回動方向は左回動であるものとする。
【００２６】
図５に示されるように、地上から開栓装置１０の操作者は、取付け部１１を左開栓形状に予め形成されるキャップ９の頭部９ａに嵌合する。このように既設回動部６ａと取付け部１１との間に、上述したキャップ９（若しくはキャップ１９）が介在していても、既存のキャップ９（若しくはキャップ１９）が設けられている汎用の流体弁５の既設回動部６ａからキャップ９（若しくはキャップ１９）を取り外すことなく、容易に開栓装置１０の取付け部１１を組付けることができる。
【００２７】
取付け部１１をキャップ９に組付ける時に、取付け部１１の外周に亘って形成される筒体１６の下端部が鍔部９ｃ上面と当接することにより、筒体１６が、鍔部９ｃを反力としスプリング１８の下方付勢に反して、取付け部１１に対し上方に移動する。
【００２８】
これにより、筒体１６の上端部が、動作シャフト１５に付されたマーキングＭを被覆するため、マーキングＭは視認できなくなる。即ち操作者は、マーキングＭの視認ができなくなることにより、既設の流体弁５が、左開栓形状のキャップ９の設けられた左開栓流体弁であることを判定できる。このようにすることで、操作者は、その判定に基づいて操作ハンドル１３を回動操作し、開栓装置１０による流体弁５の回動操作を正確且つスムーズにできる。
【００２９】
次に、流体弁は、右開栓流体弁であり、操作者の行う回動方向は右回動であるものとして、上記判定と回動操作について説明する。
【００３０】
図６に示されるように、上述と同様に取付け部１１を右開栓形状に予め形成されるキャップ１９の頭部１９ａに嵌合する。この時に取付け部１１の外周に亘って形成される筒体１６の下端部は、上述のように鍔部と当接することなく、非回動操作時と同じく取付け部１１の下端よりもキャップ９の胴部９ｂ（若しくはキャップ１９の胴部１９ｂ）の長さ程度下方位置のまま移動しない。
【００３１】
これにより、筒体１６の上部が、動作シャフト１５に設けられた回動方向情報の表示部であるマーキングＭを被覆することなく、操作者はマーキングＭを視認できる。即ち操作者は、マーキングＭの視認ができることにより、既設の流体弁５が、右開栓形状のキャップ１９の設けられた右開栓流体弁であることを判定できる。
【００３２】
このように、上述した判定手段が、予め右開栓形状に形成されている既存のキャップ１９（若しくは左開栓形状のキャップ９）を利用して、弁軸６の回動方向を判定できるため、弁軸６の回動方向情報を流体弁５に特段に設ける手間を省ける。
【００３３】
更に、動作シャフト１５の操作ハンドル１３寄りに、判定手段により判定された回動方向情報が表示される表示部であるマーキングＭが設けられていることで、本実施例のように流体弁が地中に埋設されており、操作者が地上から操作ハンドル１３を回動操作する場合でも、操作ハンドル１３寄りに設けられているマーキングＭを地上において視認でき、回動方向情報を確認し易い。
【実施例２】
【００３４】
次に、本発明の実施例２を図面に基づいて説明すると、図７は、実施例２における左開栓流体弁の開操作を示した一部断面図である。図８は、図７と同じく右開栓流体弁の開操作を示した一部断面図である。
【００３５】
先ず、流体弁は左開栓流体弁であり、操作者の行う開操作方向は右回動であるものとして、上記判定と開操作について説明する。尚、上述した実施例１と同様の構成については説明を一部省略する。
【００３６】
図７及び図８に示されるように、開栓装置２０は、既設回動部６ａに設けられたキャップ９（若しくはキャップ１９）に組付け可能な取付け部１１と、動作シャフト１５を介して取付け部１１の回動方向を正逆切替える回動方向切替部２２と、回動方向切替部２２を介して取付け部１１と接続される回動操作部である操作ハンドル２３と、回動方向切替部２２のカバー２４に設けられる脚部２７と、から主に構成されている。
【００３７】
また、本実施例における回動方向切替部２２は、操作ハンドル２３と一体に仮想の回動操作軸Ｄ回りに回動する第１ギア２２ａ及び第３ギア２２ｃと、第３ギア２２ｃと噛合する第４ギア２２ｄと、回動操作軸Ｄと略平行の近傍位置に配置する既設回動軸Ｃ回りに回動する第２ギア２２ｂと、第２ギア２２ｂを後述する逆回動位置Ｇ若しくは正回動位置Ｓにシフト可能なシフトフォーク２２ｅ及びシフトレバー２２ｆと、から主に構成されており、上述した構成品はカバー２４内に収納されている。
【００３８】
特に図示しないが、脚部２７は、周知のカメラ用三脚等と同様に、脚の伸縮構造及び折り畳み構造を有しており、回動操作時は、脚の先端部が地面と当接し開栓装置２０を安定的に保持している。
【００３９】
また、上述と同様に、筒体１６が、動作シャフト１５に嵌挿されており、筒体１６の上端は、筒体１６と略同径であって動作シャフト１５に嵌挿されるとともに上部がカバー２４下面に固着されるスプリング１８と接続されている。筒体１６の下端は、非開栓操作時において、取付け部１１の下端よりもキャップ９の胴部９ｂ（若しくはキャップ１９の胴部１９ｂ）の長さ程度下方位置に配置されている。
【００４０】
また、動作シャフト１５の操作ハンドル２３寄りであって回動方向切替部の近傍には、回動方向情報が表示される表示部であるマーキングＭが設けられており、前記非開栓操作時において、マーキングＭを視認できるようになっている。
【００４１】
図７に示されるように、取付け部１１をキャップ９に組付ける時に、取付け部１１の外周に亘って形成される筒体１６の下端部が鍔部９ｃ上面と当接することにより、筒体１６が、鍔部９ｃを反力としスプリング１８の下方付勢に反して、取付け部１１に対し上方に移動する。
【００４２】
これにより、筒体１６の上端部が、動作シャフト１５に付されたマーキングＭを被覆するため、マーキングＭは視認できなくなる。即ち操作者は、マーキングＭの視認ができなくなることにより、既設の流体弁５が、左開栓形状のキャップ９の設けられた左開栓流体弁であることを判定できる。
【００４３】
この場合において、操作者は左開栓流体弁を右回動操作で開操作するため、シフトレバー２２ｆにより第２ギア２２ｂを逆回動位置Ｇにシフトすることで回動方向切替部２２を逆状態とする。次に操作者は、操作ハンドル２３を右回動操作することで、取付け部１１と一体に組付けられる既設回動部６ａが、逆方向である左回動動作して開操作となる。
【００４４】
ここで、逆状態における回動方向切替部２２のギア動作について説明すると、逆回動位置Ｇにおいて第２ギア２２ｂは、第１ギア２２ａと噛合している。第１ギア２２ａと同軸の操作ハンドルを右回動操作することにより、第２ギア２２ｂを介して同軸の取付け部１１は、逆方向である左回動動作する。
【００４５】
次に、流体弁は右開栓流体弁であり、操作者の行う開操作方向は右回動であるものとして、上記判定と開操作について説明する。
【００４６】
図８に示されるように、上述と同様に取付け部１１を右開栓形状に予め形成されるキャップ１９の頭部１９ａに嵌合する。この時に取付け部１１の外周に亘って形成される筒体１６の下端部は、上述のように鍔部と当接することなく、非回動操作時と同じく取付け部１１の下端よりもキャップ９の胴部９ｂ（若しくはキャップ１９の胴部１９ｂ）の長さ程度下方位置のまま移動しない。
【００４７】
これにより、筒体１６の上部が、動作シャフト１５に設けられた回動方向情報の表示部であるマーキングＭを被覆することなく、操作者はマーキングＭを視認できる。即ち操作者は、マーキングＭの視認ができることにより、既設の流体弁５が、右開栓形状のキャップ１９の設けられた右開栓流体弁であることを判定できる。
【００４８】
この場合において、操作者は右開栓流体弁を右回動で開操作するため、シフトレバー２２ｆにより第２ギア２２ｂを正回動位置Ｓにシフトすることで、回動方向切替部２２が正状態となり、操作ハンドル２３を右回動操作することにより、取付け部１１と一体に組付けられる既設回動部６ａが、同方向である右回動動作する。
【００４９】
ここで、正状態における回動方向切替部２２のギア動作について説明すると、正回動位置Ｓにおいて第２ギア２２ｂは、カバー２４に軸支されている第４ギア２２ｄと噛合している。第２ギア２２ｂと略対向した位置で第４ギア２２ｄと噛合している第３ギア２２ｃと同軸の操作ハンドルを、右回動操作することにより、第４ギア２２ｄ及び第２ギア２２ｂを介して取付け部１１は、同方向に右回動動作する。
【００５０】
上述のように、回動方向切替部２２の正状態若しくは逆状態に応じて、既設回動部６ａの回動動作方向が、操作者による操作ハンドル２３の回動操作方向と同方向若しくは逆方向に切り替わるため、右回動を開操作とする右開栓流体弁と、左回動を開操作とする左開栓流体弁の２種類が、同一区域内に点在している流体弁の回動操作方向を統一できる。
【００５１】
以上、本発明の実施例を図面により説明してきたが、具体的な構成はこれら実施例に限られるものではなく、本発明の要旨を逸脱しない範囲における変更や追加があっても本発明に含まれる。
【００５２】
例えば、上記実施例では、流体弁５を開栓する回動操作のみについて説明しているが、本発明の開栓装置は、開栓のみでなく逆方向に回動操作することにより、流体弁の閉栓が可能である。
【００５３】
また、上記実施例では、開栓装置１０の取付け部１１を、流体弁５の既設回動部６ａに設けられているキャップ９（若しくはキャップ１９）の頭部９ａ（若しくは頭部１９ａ）に組付けていたが、開栓装置の取付け部は、流体弁５の既設回動部６ａに組付けられ弁体７を開栓するものであれば、既設回動部６ａと直接に組付けられていてもよい。
【００５４】
また、上記実施例では、本発明の既設管である既設水道管１の管内流体は上水であるが、既設管の管内流体は、例えば下水でもよいしガスでもよい。
【００５５】
また、上記実施例では、流体弁５は、既設回動部６ａを回動操作することで弁体が下降若しくは上昇して管路を開閉する仕切弁であるが、本発明の流体弁は、既設回動部６ａを回動操作することで管路を開閉可能とするものであれば、例えばいわゆるボール弁であってもよいし、バタフライ弁であっても構わない。
【図面の簡単な説明】
【００５６】
【図１】流体弁を有する既設管路を示す概略図である。
【図２】従来の開栓器による流体弁の開栓操作を示した概略図である。
【図３】（ａ）は、左開栓形状のキャップを示した側面図及び平面図であり、（ｂ）は、右開栓形状のキャップを示した側面図及び平面図である。
【図４】開栓装置の全体を示した一部断面図である。
【図５】実施例１における左開栓流体弁の開操作を示した一部断面図である。
【図６】図５と同じく右開栓流体弁の開操作を示した一部断面図である。
【図７】実施例２における左開栓流体弁の開操作を示した一部断面図である。
【図８】図７と同じく右開栓流体弁の開操作を示した一部断面図である。
【符号の説明】
【００５７】
１                既設水道管（既設管）
２                弁筐
３                蓋部
５                流体弁
６                弁軸
６ａ              既設回動部
７                弁体
８                開栓器
８ａ              回動ハンドル
８ｂ              本体部
８ｃ              嵌合部
９                キャップ（左開栓形状）
９ａ              頭部
９ｂ              胴部
９ｃ              鍔部
１０、２０        開栓装置
１１              取付け部
１３、２３        操作ハンドル（回動操作部）
１５              動作シャフト（本体部）
１６              筒体（判定手段）
１８              スプリング（判定手段）
１９              キャップ（右開栓形状）
１９ａ            頭部
１９ｂ            胴部
２２              回動方向切替部
２２ａ            第１ギア
２２ｂ            第２ギア
２２ｃ            第３ギア
２２ｄ            第４ギア
２２ｅ            シフトフォーク
２２ｆ            シフトレバー
２４              カバー
２７              脚部
Ｃ                既設回動軸
Ｄ                回動操作軸
Ｍ                マーキング（表示部）
Ｓ                正回動位置
Ｇ                逆回動位置
【図１】
0004817823.tif 000002
【図２】
0004817823.tif 000003
【図３】
0004817823.tif 000004
【図４】
0004817823.tif 000005
【図５】
0004817823.tif 000006
【図６】
0004817823.tif 000007
【図７】
0004817823.tif 000008
【図８】
0004817823.tif 000009